(57)【要約】【課題】  鳥類や猫等の小動物の進入を、確実に防ぐことができ、また、設置場所への取付取外しを容易に行い得る小動物防止装置を提供することを目的とする。【解決手段】  相互に離間して配設される第１保持体１及び第２保持体２と、第１保持体１と第２保持体２の間を交互に折り返して懸架し小動物の進入を防ぐ略鉛直面状の仮想障害面Ｖを形成する１本の細線４と、を備える。また、第１保持体１は、細線４の一端４ａを弾発的に巻き取って細線４に張力を与える巻取用回転体６と、細線４を折り返して懸架する第１プーリ部材17とを、有する。さらに、第２保持体２は、細線４を折り返して懸架する第２プーリ部材27を有する。【選択図】  図２
2005204531.tif 000002
【特許請求の範囲】
【請求項１】
相互に離間して配設される第１保持体（１）及び第２保持体（２）と、該第１保持体（１）と該第２保持体（２）の間を交互に折り返して懸架し小動物（３）の進入を防ぐ略鉛直面状の仮想障害面（Ｖ）を形成する１本の細線（４）と、を備えたことを特徴とする小動物防止装置。
【請求項２】
上記第１保持体（１）は、上記細線（４）の一端（４ａ）を弾発的に巻き取って該細線（４）に張力を与える巻取用回転体（６）と、上記細線（４）を折り返して懸架する第１プーリ部材（17）とを、有し、
かつ、上記第２保持体（２）は、上記細線（４）を折り返して懸架する第２プーリ部材（27）を有する請求項１記載の小動物防止装置。
【請求項３】
上記第１保持体（１）は、上記細線（４）の一端（４ａ）を弾発的に巻き取って該細線（４）に張力を与える巻取用回転体（６）と、上記細線（４）を折り返して懸架する第１プーリ部材（17）とを、有し、
かつ、上記第２保持体（２）は、上記細線（４）の他端（４ｂ）を弾発的に巻き取って該細線（４）に張力を与える巻取用回転体（６）と、上記細線（４）を折り返して懸架する第２プーリ部材（27）とを、有する請求項１記載の小動物防止装置。
【請求項４】
上記第１保持体（１）と上記第２保持体（２）の水平面（Ｓ）からの前後方向傾斜角度（θ）を、無段階に変更固定自在とする角度調節手段（８）が、具備された請求項１，２又は３記載の小動物防止装置。
【請求項５】
相互に離間して配設された上記第１保持体（１）と上記第２保持体（２）の中間に配設され、上記細線（４）を係止取外自在とする係止溝部（９）を具備するたるみ防止支柱体（10）を、備えた請求項１，２，３又は４記載の小動物防止装置。
【請求項６】
上記第１保持体（１）は、その左右方向外向側部（41）に、第１連結部（21）が形成され、
かつ、上記第２保持体（２）は、その左右方向外向側部（42）に、上記第１連結部（21）と連結分離自在な第２連結部（22）が形成された請求項１，２，３，４又は５記載の小動物防止装置。
【請求項７】
上記細線（４）が着色された請求項１，２，３，４，５又は６記載の小動物防止装置。
【発明の詳細な説明】
【技術分野】
【０００１】
本発明は、ベランダや塀の上等に設置され、鳥類や猫等の小動物の進入を防ぐ装置に関するものである。
【背景技術】
【０００２】
従来の小動物防止装置は、敷物上のマット上に複数の支柱を林立し、その支柱の先端に鳥類等の小動物の足を捕らえる係止材を付設したものが知られている（例えば、特許文献１参照）。
【特許文献１】特開平８−２２８６５６号公報
【発明の開示】
【発明が解決しようとする課題】
【０００３】
この小動物防止装置は、鳥類のフンによる公害等を防止したい各種建造物，高架下，電柱上部といった場所に設置され、飛来してきた鳥類の足を捕らえ引き抜き難くすることで、嫌な記憶を植えつけて、飛来を防止するものである。しかし、学習能力を持つ鳥類は、マットの支柱の上に、小枝，草，土，ゴミ等を運んできて載置し、その上に巣を作るため、飛来防止の効果が失われてしまう。
【０００４】
そこで、本発明は、鳥類や猫等の小動物の進入を、確実に防ぐことができ、また、設置場所への取付取外しを容易に行い得る小動物防止装置を提供することを目的とする。
【課題を解決するための手段】
【０００５】
上記の目的を達成するために、本発明に係る小動物防止装置は、相互に離間して配設される第１保持体及び第２保持体と、該第１保持体と該第２保持体の間を交互に折り返して懸架し小動物の進入を防ぐ略鉛直面状の仮想障害面を形成する１本の細線と、を備える。  また、上記第１保持体は、上記細線の一端を弾発的に巻き取って該細線に張力を与える巻取用回転体と、上記細線を折り返して懸架する第１プーリ部材とを、有し、かつ、上記第２保持体は、上記細線を折り返して懸架する第２プーリ部材を有する。
あるいは、上記第１保持体は、上記細線の一端を弾発的に巻き取って該細線に張力を与える巻取用回転体と、上記細線を折り返して懸架する第１プーリ部材とを、有し、かつ、上記第２保持体は、上記細線の他端を弾発的に巻き取って該細線に張力を与える巻取用回転体と、上記細線を折り返して懸架する第２プーリ部材とを、有する。
【０００６】
また、上記第１保持体と上記第２保持体の水平面からの前後方向傾斜角度を、無段階に変更固定自在とする角度調節手段が、具備されている。
また、相互に離間して配設された上記第１保持体と上記第２保持体の中間に配設され、上記細線を係止取外自在とする係止溝部を具備するたるみ防止支柱体を、備えている。
【０００７】
また、上記第１保持体は、その左右方向外向側部に、第１連結部が形成され、かつ、上記第２保持体は、その左右方向外向側部に、上記第１連結部と連結分離自在な第２連結部が形成されている。
さらには、上記細線が着色されている。
【発明の効果】
【０００８】
本発明は、次のような著大な効果を奏する。
簡素な構造でありながら、１本の細線から、容易に仮想障害面を形成することができ、この仮想障害面は、小動物の進入を確実に防ぐことができるので、好都合である。
また、巻取用回転体によって、細線を緊張状態とすることができるので、仮想障害面を、確実に、常時形成することができる。
また、第１保持体と第２保持体を接近させれば、細線を、巻取用回転体で巻取状態とすることができるので、小動物防止装置を収納したり、持ち運ぶ際に便利である。
【発明を実施するための最良の形態】
【０００９】
以下、実施の形態を示す図面に基づき、本発明を詳説する。
図１，図２，図３に示すように、本発明に係る小動物防止装置は、相互に離間して配設される第１保持体１及び第２保持体２と、第１保持体１と第２保持体２の間を交互に折り返して懸架し小動物３の進入を防ぐ略鉛直面状の仮想障害面Ｖを形成する１本の細線４と、を備え、ベランダや塀の上等の設置場所30に設置される。
なお、細線４が懸架される方向を左右方向と定義し、かつ、屋外側・室内側を夫々前方側15・後方側16と、定義する。
【００１０】
第１保持体１は、（後述する）巻取用回転体６を内部に保持する本体部１Ｂと、該本体部１Ｂの前方かつ左右方向外方側に付設される縦長角筒形状の懸架部１Ａと、を備え、懸架部１Ａは、本体部１Ｂの上面40よりも高く形成されている。
そして、懸架部１Ａ及び本体部１Ｂは、下部に、固定バンド32を通すための貫通状バンド締付部33を、有する。
懸架部１Ａ及び本体部１Ｂは、共通の中空部38を有し、本体部１Ｂ側の後方中空部38Ｂには、巻取用回転体６が、前後方向の軸心Ｘ廻りに回転自在として、保持される。
この巻取用回転体６は、例えば、内側にゼンマイバネ５を有したもので、外周面に細線４の一端４ａ側が弾発的に巻き取られており、細線４は弾発的な張力が与えられる。
【００１１】
また、中空部38には、巻取用回転体６から横方向へ送り出される細線４を前方へ送り出すためのプーリ部材７が、配設される。
具体的には、プーリ部材７は、後方中空部38Ｂに保持され水平面Ｓから鋭角度傾斜した軸心Ｐ廻りに回転自在な後方側プーリ７Ａと、懸架部１Ａ側の前方中空部38Ａに保持され上記軸心Ｐと平行な軸心Ｐ′廻りに回転自在な前方側プーリ７Ｂと、から成る。
また、前方中空部38Ａには、２つの上方・下方プーリ17Ａ，17Ｂから成る第１プーリ部材17が、上記前方側プーリ７Ｂよりも上方に於て、前後方向軸心Ｙ，Ｙ廻りに回転自在として、保持される。
【００１２】
また、懸架部１Ａは、その左右方向内向側部に、細線４を通す３つの小孔13…が、異なる高さ位置に於て、形成されている。
具体的には、３つの小孔13…が形成される位置は、上記前方側プーリ７Ｂの外周面の下端と、上記上方プーリ17Ａの外周面の上端と、下方プーリ17Ｂの外周面の下端と、に夫々同じ高さである。
第１保持体１は、下部に、固定バンド32を通すことができる貫通形状のバンド締付部33が、形成される。
【００１３】
第２保持体２は、設置場所30上に取り付けられる基礎部２Ｂと、基礎部２Ｂの上方に起立状に形成された縦長角筒形状の懸架部２Ａと、を備える。
基礎部２Ｂは、バンド締付部33を有し、このバンド締付部33は、固定バンド32を通すことができる貫通形状であったり、固定バンド32をずれないように巻きつけることのできる上方開口状溝である。
また、第２保持体２は、その中空部39に、２つの上方・下方プーリ27Ａ，27Ｂから成る第２プーリ部材27が、前後方向軸心Ｚ廻りに回転自在として、保持される。
【００１４】
さらに、第２保持体２は、その左右方向内向側部に、細線４を通す３つの小孔23…が、異なる高さ位置に於て、形成されている。
具体的には、２つの小孔23…が形成される位置は、上記上方プーリ27Ａの外周面の上端と、下方プーリ27Ｂの外周面の下端と、に夫々同じ高さである。
さらに、もう１つの小孔23の位置は、第１保持体１の上方プーリ17Ａの上端と同じ高さの小孔13と、同じ高さである。
即ち、３つの小孔13…と、３つの小孔23…は、同じ高さとなるように構成される。そして、夫々、略均等な間隔となるのが望ましい。
そして、一番上の小孔13，23は、本体部１Ｂの上面40よりも高い位置になるように、配設される。
【００１５】
細線４は、ステンレス製ワイヤ，てぐす糸，コーティングワイヤ，ピアノ線等耐蝕性を有する材質から成る。
また、第１・第２保持体１，２と、各プーリ部材と、巻取用回転体６等の各部品も、耐蝕性を有するステンレスや金属、あるいはプラスチック等から成形される。
そして、第１・第２保持体１，２に形成される小孔13，23は、内部に水等を浸入させにくくするために、細線４をスムースに出し入れ可能として、小さく形成されるのが望ましい。
また、上記懸架部１Ａ，２Ａは、夫々の中空部38，39に於て、小孔13…，23…に対応する位置に、細線４をスムースに出し入れ可能とすると共に水等の浸入を防ぐブッシュ部材が、付設されてもよい。
【００１６】
ここで、細線４を、上記第１・第２保持体１，２に付設する方法（手順）について説明する。
まず、図１，図２，図３に於て、第１保持体１内で、巻取用回転体６の外周に、細線４を、一端４ａを固定して、巻き付ける。
そして、巻取用回転体６から引き出した細線４の他端４ｂを、後方側プーリ７Ａ，前方側プーリ７Ｂへ順に掛けて、一番下の小孔13を通して、第１保持体１の懸架部１Ａから外部へ出す。
【００１７】
そして、上記他端４ｂを、第２保持体２の一番下の小孔23を通して、第２保持体２内へ入れ、下方プーリ27Ｂ，上方プーリ27Ａの順に掛けて、中間の小孔23を通して、第２保持体２の外部へ出し、次いで、上記懸架部１Ａの中間の小孔13を通して、懸架部１Ａ内へ入れ、下方プーリ17Ｂ，上方プーリ17Ａへ順に掛けて、上部の小孔13から、懸架部１Ａの外部へ出す。
そして、上記他端４ｂを、第２保持体２の一番上の小孔23を通して、第２保持体２内へ入れて、中空部39で固定する。
このようにして、細線４は、第１保持体１と第２保持体２との間を、交互に折り返され、巻取用回転体６で弾発的に巻き取られることで、上下方向に３列の並列状に張力が与えられて懸架され、略鉛直面状の仮想障害面Ｖが形成される。
【００１８】
また、図４，図５に示すように、小動物防止装置が、懸架された細線４が中間部位でたるまないようにするためのたるみ防止支柱体10を、具備してもよい。
たるみ防止支柱体10は、設置場所30上に取り付けられる基礎部10Ｂと、基礎部10Ｂの上方に起立状に付設された柱部10Ａと、から成り、柱部10Ａは、３列に折り返された細線４に対応して側方開口状に形成された差込用切込14…と、該切込14…の奥部に形成され細線４を係止取外自在とする係止溝部９と、を有する。係止溝部９は、切込14よりも上下幅寸法が大きい。
また、基礎部２Ｂは、設置場所30に取り付けるためのバンド締付部33を、有する。このバンド締付部33は、図１，図２で説明した第１・第２保持体１，２のバンド締付部33と、同じものでよい。
【００１９】
次に、図６，図７，図８に示すように、小動物防止装置は、複数台が横方向へ連結可能となるように、構成されてもよい。
一例として、第１保持体１の左右方向外向側部41に、雌部材としての第１連結部21が形成され、第２保持体２の左右方向外向側部42に、第１連結部21と連結分離自在な雄部材としての第２連結部22が、形成される。
具体的には、雄部材としての第２連結部22は、水平断面視に於て先端膨出形状の係止凸条22ａが形成された、短柱形状である。
さらに、雌部材としての第１連結部21は、水平断面視に於て上記係止凸条22ａが嵌合可能な略Ｃ字状に形成され、引掛部21ａが形成されている。連結時には、上記係止凸条22ａが、略Ｃ字状の第１連結部21の引掛部21ａに引っ掛かり、左右方向に外れない。
そして、図７に示すように、第１連結部21に対し、第２連結部22を上方（あるいは下方）から差込んで連結し、また、上方に（あるいは下方に）引き抜いて分離する。
【００２０】
また、図９に示すように、小動物防止装置は、第１保持体１と第２保持体２の水平面Ｓからの前後方向傾斜角度θを、無段階に変更固定自在とする角度調節手段８を、具備するのもよい。
角度調節手段８は、設置場所30上に取り付けられる固定部材24と、第１保持体１の下部に付設される枢支部材25と、を備え、枢支部材25は、固定部材24に、左右方向水平軸心Ｌ廻りに回転固定自在に枢支されると共に、別にストッパや抵抗付与部や係脱爪部等から構成される。
図示省略するが、第２保持体２にも、同様の角度調節手段８を備える。
固定部材24の下部は、図１，図２で説明したバンド締付部33が形成され、設置場所30に取り付け可能とする。
【００２１】
次に、図10に示す小動物防止装置は、細線４が上下方向に４列となるように折り返されて、仮想障害面Ｖが形成されている。
即ち、図１〜図３に示す小動物防止装置との相違点は、図10に示す小動物防止装置の第２保持体２が、２つの第２プーリ部材27，27を、上下に並列して備える点である。
この場合、第１保持体１の第１プーリ部材17の上方プーリ17Ａから送り出された細線４の他端４ｂを、小孔23を通して第２保持体２内へ入れ、上側の第２プーリ部材27の下方プーリ27Ｂ，上方プーリ27Ａへ、順に、掛ける。
そして、上記他端４ｂを、小孔23を通して、第２保持体２の外部へ出し、第１保持体１の小孔13を通して、第１保持体１の懸架部１Ａの前方中空部38Ａで固定する。
【００２２】
次に、図11に示す小動物防止装置は、第１保持体１が、細線４の一端４ａを弾発的に巻き取って細線４に張力を与える巻取用回転体６と、細線４を折り返して懸架する第１プーリ部材17とを、有する。かつ、第２保持体２が、細線４の他端４ｂを弾発的に巻き取って細線４に張力を与える巻取用回転体６と、細線４を折り返して懸架する第２プーリ部材27とを、有する。
具体的には、第１保持体１の中空部38に於て、前後方向軸心Ｘ廻りに回転自在として保持される巻取用回転体６の下方に、前後方向軸心Ｙ，Ｙ廻りに回転自在として保持される２つの上方・下方プーリ17Ａ，17Ｂから成る第１プーリ部材17が、配設される。
また、第２保持体２の中空部39に於て、前後方向軸心Ｘ廻りに回転自在として保持される巻取用回転体６の上方に、前後方向軸心Ｚ，Ｚ廻りに回転自在として保持される２つの上方・下方プーリ27Ａ，27Ｂから成る第２プーリ部材27が、配設される。
そして、図１〜図３と同様に、１本の細線４が、第１・第２保持体１，２に夫々３つづつ形成された小孔13…，23…を介して折り返され懸架されて、略鉛直面状の仮想障害面Ｖが形成される。設置場所30に固定する構成は、図１〜図３で説明したと同様である。
【００２３】
また、図11の小動物防止装置を設計変更してもよい。例えば（図示省略するが）、第１保持体１が、細線４の一端４ａと他端４ｂを夫々弾発的に巻き取って細線４に張力を与える巻取用回転体６，６と、細線４を折り返して懸架する第１プーリ部材17とを、有するように構成し、かつ、第２保持体２が、細線４を折り返して懸架する上下２つの第２プーリ部材27，27を、有するように構成する。
具体的には、第１保持体１の中空部38に於て、（細線４の一端４ａを弾発的に巻き取る）巻取用回転体６の下方に、（図11のものと同様の）第１プーリ部材17が、配設され、かつ、該第１プーリ部材17の下方に、（細線４の他端４ｂを弾発的に巻き取る）巻取用回転体６が、配設される。また、第２保持体２の中空部39には、上下２つの（図11のものと同様の）第２プーリ部材27，27が、配設される。
そして、第１保持体１は、４つの小孔13…が、異なる高さ位置に形成され、第２保持体２は、４つの小孔23…が、該４つの小孔13…と夫々同じ高さ位置に、形成される。
そして、細線４の懸架の構成について、図11との相違点は、第１保持体１内の第１プーリ部材17から送り出した細線４の他端４ｂが、第２保持体２内へ入れられ、下方の第２プーリ部材27の上方プーリ27Ａ，下方プーリ27Ｂへ、順に掛けられ折り返されて、さらに、第１保持体１の最下位置の小孔13へ通されて、下方の巻取用回転体６に巻き取られるように構成された点である。
【００２４】
次に、図12に示す小動物防止装置は、第１保持体１が、鉛直軸心Ｏ廻りに回転自在として細線４…の一端４ａ…を弾発的に巻き取って張力を与えるものであって上下方向に３つ配設される巻取用回転体60…と、第１保持体１の左右方向内向側部に於て異なる高さ位置に形成され上記夫々の細線４…を通す３つの小孔13…と、を有し、一方、第２保持体２が、（図１〜図３で説明した）基礎部２Ｂと、第２保持体２の左右方向内向側部に於て異なる高さ位置に形成され上記３本の細線４…を夫々通す３つの小孔23…と、を有するものであり、夫々の細線４…の他端４ｂ…が、第２保持体２の中空部39で固定される。そして、設置場所30に固定する構成は、図１〜図３で説明したものと同様である。
言い換えると、相互に離間して配設される第１保持体１及び第２保持体２の間を連結する複数本の細線４…をもって、小動物の進入を防ぐ鉛直面状の仮想障害面Ｖを形成している。そして、第１保持体１は、各細線４…毎に、巻取用回転体60…が配設される。
【００２５】
また、図13に示す小動物防止装置は、第２保持体２が、鉛直軸心Ｏ′廻りに回転自在として上下方向に３つ配設され３本の細線４…の他端４ｂ…を夫々弾発的に巻き取って張力を与える巻取用回転体60…を有する点で、図12のものと相違する。
即ち、相互に離間して配設される第１保持体１及び第２保持体２の間を連結する複数本の細線４…をもって、小動物の進入を防ぐ鉛直面状の仮想障害面Ｖを形成している。そして、両保持体１，２は、各細線４…毎に、巻取用回転体60…が配設される。
この図12，図13に示す小動物防止装置の小孔13…，23…の高さ位置・形状は、図１〜図３にて説明したものと同様の構成である。
なお、図12，図13に示す小動物防止装置に於て、上下方向に４つ以上の巻取用回転体60を配設し、４列以上の細線４…を懸架状として、仮想障害面Ｖを構成するもよい。
あるいは、夫々の巻取用回転体60…を、水平軸心廻りに回転自在として配設するように構成してもよい。
【００２６】
また、図14，図15に示す第１保持体１（図示省略するが、第２保持体２も）は、図１〜図３に示すバンド締付部33に代え、下部に、水平板状の基礎部31が形成される。
そして、設置場所30がＨ鋼材36の上板部36ａ等の場合には、上記基礎部31と上板部36ａとを、クランプ部材34によって挟んで、固定する（図14参照）。
また、設置場所30がベランダの壁体28や塀の上等である場合には、上面に、周囲に複数個の係止部35ａ…を有する平板状固定具35を、接着剤やビス等で固定する。そして、第１保持体１（及び第２保持体２）の基礎部31の周囲を、係止部35ａ…に係止して、固定具35上に固定する（図15参照）。
なお、図示省略するが、第１・第２保持体１，２が、図１〜図３に示すようなバンド締付部33と、図14，図15に示すような水平板状の基礎部31を、両方備えてもよく、設置場所30に応じて、取付用具を固定バンド32・クランプ部材34・固定具35から択一的に選んで、取り付けることが可能となる。
【００２７】
また、図16に示す第２保持体２の基礎部２Ｂは、前後方向に水平状の横板部37ａと横板部37ａの前後両端部から下方へ延伸する縦板部37ｂ，37ｂとから成るクランプ部37が、具備されており、一方の縦板部37ｂに、固定用ボルト部材20を螺合するための孔部が形成される。図示省略するが、第１保持体１の下部も同様の構成にする。
取付方法は、２つの縦板部37ｂ，37ｂで壁体28を上方から挟み、ボルト部材20を孔部に螺合して、壁体28の前側壁面と後側壁面とを、ボルト部材20の先端及び他方の縦板部37ｂで挟着する。
【００２８】
図17，図18に示す第１・第２保持体１，２は、夫々の左右方向外向側部に、設置場所30の上に鉛直状に立設される鉛直状固定棒体54，54に挿着取外自在な縦方向の取付孔部50，50を、有する
あるいは、第１・第２保持体１，２は、夫々の左右方向外向側部に、上記固定棒体54，54に着脱自在なクランプ構造を形成してもよい。
【００２９】
また、図21〜図23に示すように、上記第１・第２プーリ部材17，27は、周囲に、細線４が各プーリから外れないようにするための細線外れ防止部材55が、配設されてもよい。
図21に示す外れ防止部材55は、第１・第２プーリ部材17，27が内面と略隙間を有さないように内部に配設されるケース体56から成り、該ケース体56は、側面に、細線４を通すためのスリットや開口部を有する。
また、図22に示す外れ防止部材55は、第１・第２プーリ部材17，27の各プーリの（コーナー側の）側部に沿って略隙間なく配設される湾曲状ガイド部材57から成る。
また、図23に示す外れ防止部材55は、第１・第２プーリ部材17，27の各プーリの前後に各プーリと略隙間なく配設される壁体58，58から成る。この壁体58は上下方向に（各プーリ部材17，27よりも）大きく延伸状である。
【００３０】
上記のような外れ防止部材55が、例えば図２に於て、中空部38，39内に設置される。
そして、第１保持体１と第２保持体２を引き離して細線４を引き出す際や、逆に巻き戻す際には、プーリが早く回転するため、細線４がプーリのレール部から外れ易いが、上記外れ防止部材55により、仮に、プーリの回転中に細線４がレール部から離れても、上記防止部材55によりレール部上に戻り、外れない。
なお、「略隙間を有さないように」と「略隙間なく」、とは、「各防止部材55がプーリに接触することなく、かつ、レール部から離れた細線４をプーリから外れないようにガードできる程度の間隔を空けた状態」と定義する。
【００３１】
また、細線４を様々な色に着色してもよく、小動物防止装置を人間（特に子供等）の立ち入り易い設置場所30に取り付けても、細線４を容易に認識することができ、細線４に手等を接触して怪我をする虞れが無い。
【００３２】
次に、上述した小動物防止装置の使用方法について説明する。
小動物防止装置は、取付前には、細線４が巻取用回転体６に収納状態に巻き付けられて、図１（ｂ）に示すように、第１保持体１と第２保持体２とが、接近した状態となっている。
この図１（ｂ）の状態から、第１保持体１と第２保持体２とを相互に離間すると、プーリ部材７，第１プーリ部材17，第２プーリ部材27の夫々の回転と共に、巻取用回転体６から細線４が引き出されて、巻取用回転体６の弾発力により細線４は張力が与えられ、仮想障害面Ｖが形成される（図２参照）。
【００３３】
ここで、図１〜図６に示すように、設置場所30がベランダの壁体28に付設する笠木29等であれば、第１保持体１と第２保持体２を、バンド締付部33…と笠木29を、固定バンド32…にて締結して、固定する。
あるいは、図14，図15，図16に示すように、設置場所30がベランダの壁体28や塀の上等であれば、クランプ部材34・固定具35や、クランプ部37により、取り付ける。
第１・第２保持体１，２の間隔が大きい場合等では、たるみ防止支柱体10を、第１・第２保持体１，２の中間に於て、設置場所30上に取り付けて、細線４を係止溝部９に係止させる（図４，図５参照）。
また、ベランダの壁体28等距離の長い設置場所30に取り付ける場合は、複数セット（ユニット）を並べて、第１・第２連結部21，22で連結する（図６〜図８参照）。
【００３４】
仮想障害面Ｖにより、鳥類や猫等の小動物３は、設置場所30に止まる（乗る）ことができず、室内等の後方側16に進入することができない。
また、図１，図２に示すように、仮想障害面Ｖの上辺は、第１保持体１の本体部１Ｂの上面40よりも高い位置となっており、さらに、懸架部１Ａが、本体部１Ｂの前方かつ左右方向外側に配設されているので、小動物３が上面40上に乗ることがない。
即ち、仮想障害面Ｖが、確実に前方側15に配設されるので、確実に小動物３の進入を防ぐことができる。
【００３５】
また、図９に於て、第１保持体１を、実線で示すように、後方側16へ傾斜状に保持して（図示省略のストッパ等を有する前記角度調節手段８で）固定すると、前方側15の下方から矢印19に示す斜め上方向に見た場合、第１保持体１は目につかない。
また、第１・第２保持体１，２を、二点鎖線で示すように、起立状態にして配設したり、あるいは、使用しない時は、転倒状態にして保持することも可能である。
【００３６】
また、図19，図20に示すように、小動物防止装置を、上記角度調節手段８で、壁体28の上面の前方側15附近に固定することにより、布団26等を壁体28の上面に干す場合、その都度取り外す手間を省くことが可能となる。
即ち、第１・第２保持体１，２を後方側16に転倒させ壁体28の上面に転倒状態にすることで、布団26等を、第１・第２保持体１，２が邪魔になることなく、第１・第２保持体１，２及び壁体28に上方から掛けることが可能となる（図19参照）。
あるいは、第１・第２保持体１，２を前方側15に転倒させ壁体28の前側壁面に沿うように転倒状態にすることで、第１・第２保持体１，２が邪魔になることなく、布団26等を壁体28に上方から掛けることが可能となる（図20参照）。
【００３７】
次に、図17，図18に示す小動物防止装置の取付方法を説明すると、設置場所30の上に、一対の固定棒体54，54を、間隔を空けて鉛直状に立設する。
そして、設置場所30の後方側16（部屋側）から、小動物防止装置の第１保持体１と第２保持体２を引き離して、取付孔部50，50によって固定棒体54，54に取り付けていき、所望の数量の小動物防止装置を、上下方向に並べて取り付ける。
すると、図例のように、設置場所30の上には、所望の高さの鉛直状仮想障害面Ｖが形成され、一層、鳥等の小動物が接近しにくくなる。
また、所望の数量への変更や、設置及び片付けが容易である。
【００３８】
また、図示省略するが、上述した構成に限定されず、第１プーリ部材17，第２プーリ部材27は、夫々、図例のプーリ17Ａ（17Ｂ）やプーリ27Ａ（27Ｂ）よりも径の大きな、１つのものであってもよい。
【００３９】
また、細線４が、てぐす糸から成る場合、巻付状態で直射日光や紫外線を浴びたまま長期間設置されると、巻き癖がついて劣化し易くなってしまうが、上述したように、各プーリが第１・第２保持体１，２の内部に配設され、細線４は、巻付状態の箇所が直射日光や紫外線を浴びない構造なので、巻き癖がついたり早く劣化するのが、防がれる。
さらに、細線４が、てぐす糸から成る場合、黒色（あるいは黒色以外の濃い色）に着色すれば、使用時に浴びる紫外線が細線４の内部へと入り込みにくく、細線４の耐久性の向上を図り得る。
【００４０】
以上のように、本発明に係る小動物防止装置は、相互に離間して配設される第１保持体１及び第２保持体２と、第１保持体１と第２保持体２の間を交互に折り返して懸架し小動物３の進入を防ぐ略鉛直面状の仮想障害面Ｖを形成する１本の細線４と、を備えているので、簡素な構成でありながら、１本の細線４から、小動物３の進入を確実に防ぐ仮想障害面Ｖを、形成することができる。
【００４１】
また、第１保持体１は、細線４の一端４ａを弾発的に巻き取って細線４に張力を与える巻取用回転体６と、細線４を折り返して懸架する第１プーリ部材17とを、有し、かつ、第２保持体２は、細線４を折り返して懸架する第２プーリ部材27を有するので、簡素な構造でありながら、細線４を確実に緊張状態とすることができ、仮想障害面Ｖを形成することができて好都合である。
また、第１保持体１と第２保持体２を接近させれば、細線４を、巻取用回転体６で巻取状態とすることができ、小動物防止装置を収納したり、持ち運ぶ際に便利である。
そして、例えばベランダに布団を干すとき等には、容易に取外して巻き取ることができて至便である。
【００４２】
あるいは、第１保持体１は、細線４の一端４ａを弾発的に巻き取って細線４に張力を与える巻取用回転体６と、細線４を折り返して懸架する第１プーリ部材17とを、有し、かつ、第２保持体２は、細線４の他端４ｂを弾発的に巻き取って細線４に張力を与える巻取用回転体６と、細線４を折り返して懸架する第２プーリ部材27とを、有するので、簡素な構造でありながら、設置場所30の状況に応じて、第１保持体１と第２保持体２の距離（間隔）の大小に対応できる。即ち、上記距離（間隔）の大小にかかわらず細線４を確実に緊張状態とすることができ、安定して仮想障害面Ｖを形成することができて好都合である。
例えば、細線４の一端４ａ及び他端４ｂが、共に巻取用回転体６，６によって弾発的に巻き取られているので、長い間隔を空けて懸架されても、たるみにくい。
さらに、両巻取用回転体６，６で細線４を巻き取る構成なので、１つ当たりの巻取用回転体６を小さくすることができ、第１・第２保持体１，２のスリム化を図り得る。
また、第１保持体１と第２保持体２を接近させれば、細線４を、巻取用回転体６で巻取状態とすることができ、小動物防止装置を収納したり、持ち運ぶ際に便利である。
そして、例えばベランダに布団を干すとき等には、容易に取外して巻き取ることができて至便である。
【００４３】
また、第１保持体１と第２保持体２の水平面Ｓからの前後方向傾斜角度θを、無段階に変更固定自在とする角度調節手段８が、具備されるので、第１・第２保持体１，２を、後方側16へ傾斜状に保持して固定することができる。
よって、小動物防止装置を、屋外等の前方側15から斜め上方向に見上げた際に見えなくすることができて、好都合である。
また、第１・第２保持体１，２を、容易に起立状態にしたり、あるいは、使用しない時は、転倒状態にして保持することができる。
【００４４】
また、相互に離間して配設された第１保持体１と第２保持体２の中間に配設され、細線４を係止取外自在とする係止溝部９を具備するたるみ防止支柱体10を、備えているので、第１・第２保持体１，２の間隔が大きい場合でも、細線４のたるみを防止できる。
よって、仮想障害面Ｖを常時同じ形状に保つことができ、小動物３の進入を確実に防ぐことができる。
【００４５】
また、第１保持体１は、その左右方向外向側部41に、第１連結部21が形成され、かつ、第２保持体２は、その左右方向外向側部42に、第１連結部21と連結分離自在な第２連結部22が形成されているので、ベランダや塀の上等のように、距離の長い設置場所30であっても、複数セットを隙間なく並べて設置することができ、小動物３が進入することがない。
【００４６】
さらに、細線４が着色されるので、小動物防止装置を人間（特に子供等）の立ち入り易い設置場所30に取り付けても、細線４を容易に認識することができる。
よって、細線４に手等を接触して怪我をする虞れが無く、安全である。
【００４７】
また、図示省略するが、小動物防止装置を、２台以上前後に並べて取り付けてもよい。この場合、１台の装置に於て、細線４が不意に切れてしまい仮想障害面Ｖが形成されなくなっても、他の装置が仮想障害面Ｖを形成しており、小動物３の進入を防止することができる。
また、図12，図13で示す小動物防止装置は、各巻取用回転体60…の縮小化を図り得るので、第１・第２保持体１，２の縮小化も図り得て、至便である。
【図面の簡単な説明】
【００４８】
【図１】本発明に係る小動物防止装置の実施の一形態を示す斜視図である。
【図２】一部断面正面図である。
【図３】第１保持体を示す説明用側面図である。
【図４】本発明に係る小動物防止装置の第２の実施の形態を示す正面図である。
【図５】たるみ防止支柱体を示す一部断面側面図である。
【図６】本発明に係る小動物防止装置の第３の実施の形態を示す正面図である。
【図７】要部正面図である。
【図８】図７のＡ−Ａ拡大断面図である。
【図９】本発明に係る小動物防止装置の第４の実施の形態を示す説明用側面図である。
【図１０】本発明に係る小動物防止装置の第５の実施の形態を示す説明用正面図である。
【図１１】本発明に係る小動物防止装置の第６の実施の形態を示す説明用正面図である。
【図１２】複数個の巻取用回転体を有する第１保持体を備えた小動物防止装置示す説明用正面図である。
【図１３】複数個の巻取用回転体を夫々有する第１・第２保持体を備えた小動物防止装置を示す説明用正面図である。
【図１４】クランプ部材によって取り付ける状態を示す斜視図である。
【図１５】固定具によって取り付ける状態を示す斜視図である。
【図１６】クランプ部によって取り付ける状態を示す斜視図である。
【図１７】左右方向外向側に取付部を有する第１・第２保持体を示す斜視図である。
【図１８】取付状態を示す斜視図である。
【図１９】説明用側面図である。
【図２０】説明用側面図である。
【図２１】細線外れ防止部材を示す説明用斜視図である。
【図２２】他の細線外れ防止部材を示す説明用正面図である。
【図２３】別の細線外れ防止部材を示す説明用側面図である。
【符号の説明】
【００４９】
１  第１保持体
２  第２保持体
３  小動物
４  細線
４ａ  一端
４ｂ  他端
６  巻取用回転体
８  角度調節手段
９  係止溝部
10  たるみ防止支柱体
17  第１プーリ部材
21  第１連結部
22  第２連結部
27  第２プーリ部材
41  外向側部
42  外向側部
θ  傾斜角度
Ｓ  水平面
Ｖ  仮想障害面
【図１】
2005204531.tif 000003
【図２】
2005204531.tif 000004
【図３】
2005204531.tif 000005
【図４】
2005204531.tif 000006
【図５】
2005204531.tif 000007
【図６】
2005204531.tif 000008
【図７】
2005204531.tif 000009
【図８】
2005204531.tif 000010
【図９】
2005204531.tif 000011
【図１０】
2005204531.tif 000012
【図１１】
2005204531.tif 000013
【図１２】
2005204531.tif 000014
【図１３】
2005204531.tif 000015
【図１４】
2005204531.tif 000016
【図１５】
2005204531.tif 000017
【図１６】
2005204531.tif 000018
【図１７】
2005204531.tif 000019
【図１８】
2005204531.tif 000020
【図１９】
2005204531.tif 000021
【図２０】
2005204531.tif 000022
【図２１】
2005204531.tif 000023
【図２２】
2005204531.tif 000024
【図２３】
2005204531.tif 000025